(57)【要約】【課題】排水のためのＣＯＤの低下処理が不要な湿式排ガス脱硫装置を提供する。【解決手段】筐体１０と、排ガスを筐体１０の内部に導入するための排ガス導入口１１ａと、吸収液を筐体１０の内部に散布するための散布装置２６と、排ガスを筐体１０の外部に排出するための排ガス排出口１１ｂと、散布装置２６により散布された吸収液を滞留させるための滞留部であって、筐体１０の一部として構成される滞留部１３と、滞留部１３に滞留する吸収液を筐体１０の外部に排出するための吸収液排出口１４と、を備え、湿式排ガス脱硫装置１０１は、散布装置２６により散布された吸収液と、硫黄酸化細菌に対して抗菌作用を有する抗菌金属を含む塊状抗菌金属部材６１とを接触可能に構成されている。【選択図】図１
2019126764.tif 000002
【特許請求の範囲】
【請求項１】
排ガスと吸収液とを接触させることにより、前記排ガス中の硫黄酸化物を前記吸収液に吸収させて前記排ガスから除去するための湿式排ガス脱硫装置であって、
筐体と、
前記排ガスを前記筐体の内部に導入するための排ガス導入口と、
前記吸収液を前記筐体の内部に散布するための散布装置と、
前記排ガスを前記筐体の外部に排出するための排ガス排出口と、
前記散布装置により散布された前記吸収液を滞留させるための滞留部であって、前記筐体の一部として構成される滞留部と、
前記滞留部に滞留する前記吸収液を前記筐体の外部に排出するための吸収液排出口と、を備え、
前記湿式排ガス脱硫装置は、前記散布装置により散布された前記吸収液と、硫黄酸化細菌に対して抗菌作用を有する抗菌金属を含む抗菌金属部材とを接触可能に構成されたことを特徴とする、湿式排ガス脱硫装置。
【請求項２】
前記散布装置は、前記吸収液排出口を通じて前記筐体の外部に排出された前記吸収液を、前記筐体の内部に散布するように構成されたことを特徴とする、請求項１に記載の湿式排ガス脱硫装置。
【請求項３】
前記抗菌金属部材は、前記滞留部に滞留した前記吸収液の少なくとも一部に浸かる位置に配置されたことを特徴とする、請求項１又は２に記載の湿式排ガス脱硫装置。
【請求項４】
前記抗菌金属部材は、塊状に形成された塊状抗菌金属部材を含むことを特徴とする、請求項３に記載の湿式排ガス脱硫装置。
【請求項５】
前記湿式排ガス脱硫装置は、前記吸収液排出口を覆うように配置されたメッシュ部材をさらに備え、
前記抗菌金属部材は、前記メッシュ部材のメッシュ径よりも大きくなるように構成されたことを特徴とする、請求項４に記載の湿式排ガス脱硫装置。
【請求項６】
前記抗菌金属部材は、前記滞留部に滞留した前記吸収液の液面よりも上方であって、且つ、前記散布装置により散布された前記吸収液と接触可能な位置に配置されたことを特徴とする、請求項２に記載の湿式排ガス脱硫装置。
【請求項７】
前記湿式排ガス脱硫装置は、前記吸収液排出口を通じて前記筐体の外部に排出された前記吸収液が流れる循環管路と、前記循環管路を流れた前記吸収液を前記滞留部に戻すための吸収液還流口と、を含む循環系統をさらに備え、
前記抗菌金属部材は、前記循環系統を流れる前記吸収液と接触可能な位置に配置されたことを特徴とする、請求項１又は２に記載の湿式排ガス脱硫装置。
【請求項８】
前記循環系統は、前記循環管路を流れた前記吸収液が流入するように構成された少なくとも１つの抗菌槽を備え、
前記抗菌金属部材は、前記少なくとも１つの抗菌槽の内部に配置されることを特徴とする、請求項７に記載の湿式排ガス脱硫装置。
【請求項９】
前記滞留部の内面の少なくとも一部は前記抗菌金属部材を含んで構成されたことを特徴とする、請求項１又は２に記載の湿式排ガス脱硫装置。
【請求項１０】
前記湿式排ガス脱硫装置は、前記散布装置により散布された前記吸収液に前記抗菌金属のイオンを供給するための抗菌金属イオン供給装置をさらに備えたことを特徴とする、請求項１又は２に記載の湿式排ガス脱硫装置。
【請求項１１】
前記抗菌金属は、ニッケル及びタングステンのうちの少なくとも一方の金属を含有することを特徴とする、請求項１〜１０の何れか１項に記載の湿式排ガス脱硫装置。
【請求項１２】
排ガスと吸収液とを接触させることにより、前記排ガス中の硫黄酸化物を前記吸収液に吸収させて前記排ガスから除去するための湿式排ガス脱硫方法であって、
湿式排ガス脱硫装置を構成する筐体の内部に前記吸収液を散布するための散布装置によって散布された前記吸収液と、硫黄酸化細菌に対して抗菌作用を有する抗菌金属を含む抗菌金属部材とを接触させる工程を含むことを特徴とする、湿式排ガス脱硫方法。
【発明の詳細な説明】
【技術分野】
【０００１】
本発明は、湿式排ガス脱硫装置及び湿式排ガス脱硫方法に関する。
【背景技術】
【０００２】
火力発電所等から排出される排ガスは、大気中への硫黄酸化物の放出を抑制する観点から、排ガス脱硫装置による脱硫を経た後で大気中に放出される。排ガス脱硫装置には、乾式排ガス脱硫装置と湿式排ガス脱硫装置とがある。これらのうち、乾式排ガス脱硫装置は、例えば活性炭等の固体吸着剤に排ガスを接触させ、硫黄酸化物を固体吸着剤に吸着させることで、排ガス中の硫黄酸化物を除去するものである。また、湿式排ガス脱硫装置は、アルカリ成分を含む吸収液に排ガスを接触させ、硫黄酸化物を吸収液に吸収させることで、排ガス中の硫黄酸化物を除去するものである。
【０００３】
湿式排ガス脱硫装置による脱硫方法には、使用する吸収液の種類に応じて複数の方法が知られている。具体的には例えば、石灰石膏法、苛性ソーダ法、マグネシウム法等が挙げられる。例えば、石灰石膏法で使用される吸収液（スラリー）には石灰石（炭酸カルシウム）が含まれる。排ガス中の硫黄酸化物（二酸化硫黄等）が吸収液に吸収されると、吸収液中で亜硫酸イオンが生成する。そして、吸収液中で亜硫酸イオンを酸化させることで、硫酸イオンが生成する。硫酸イオンは石灰石と容易に反応し、硫酸カルシウム（石膏）が生成する。これにより、硫黄酸化物に由来する硫黄分を、石膏として吸収液から除去することができる。
【０００４】
湿式排ガス脱硫装置に関する技術として、特許文献１に記載の技術が知られている。特許文献１には、排ガスと吸収液とを接触させることで排ガスに含まれる硫黄酸化物を吸収液に吸収させるための吸収塔を備える湿式排ガス脱硫装置が記載されている。この湿式排ガス脱硫装置において、吸収液を貯留するための吸収液貯留槽と、吸収液を上記吸収塔の内部に噴出するための吸収液噴出部とが備えられており、吸収液噴出部から噴出され、硫黄酸化物を吸収した吸収液は、吸収液貯留槽に貯留される。
【先行技術文献】
【特許文献】
【０００５】
【特許文献１】国際公開第２０１７／０１４２００号
【発明の概要】
【発明が解決しようとする課題】
【０００６】
ところで、本発明者らが検討したところ、排ガスと接触し、硫黄酸化物を吸収した吸収液（使用済み吸収液）において、ＣＯＤ（化学的酸素要求量）が高い場合があることがわかった。この理由は、本発明者らの検討によれば、硫黄酸化物を吸収した吸収液において、独立栄養細菌である硫黄酸化細菌（例えばＴｈｅｒｍｉｔｈｉｏｂａｃｉｌｌｕｓ属細菌）が増殖したためと考えられる。そして、硫黄酸化細菌が増殖すると、硫黄酸化細菌の産出物（有機物）を利用して増殖する従属栄養細菌（例えばＰｓｅｕｄｏｍｏｎａｓ属細菌）が増殖し得る。増殖した従属栄養細菌においても糖類等の有機物が産出されることから、硫黄酸化細菌による有機物の産出とともに、使用済み吸収液のＣＯＤが上昇すると考えられる。
【０００７】
ＣＯＤが排水基準よりも高いと、排水を河川等に放水することができない。そのため、ＣＯＤの上昇を抑制することが好ましい。そこで、ＣＯＤの上昇抑制には、上記の硫黄酸化細菌の増殖を抑制することが有効と考えらえる。硫黄酸化細菌の増殖抑制により、硫黄酸化細菌が産出する有機物の量を低減できる。また、硫黄酸化細菌の増殖抑制により、従属栄養細菌の増殖も抑制され、独立栄養細菌が算出する有機物の量も低減できる。そして、これらの結果、有機物の産出量が抑制され、使用済み吸収液のＣＯＤの上昇を抑制できると考えられる。
【０００８】
本発明の少なくとも一実施形態は、排水のためのＣＯＤの低下処理が不要な湿式排ガス脱硫装置及び湿式排ガス脱硫方法を提供することを目的とする。
【課題を解決するための手段】
【０００９】
（１）本発明の少なくとも幾つかの実施形態に係る湿式排ガス脱硫装置は、排ガスと吸収液とを接触させることにより、前記排ガス中の硫黄酸化物を前記吸収液に吸収させて前記排ガスから除去するための湿式排ガス脱硫装置であって、筐体と、前記排ガスを前記筐体の内部に導入するための排ガス導入口と、前記吸収液を前記筐体の内部に散布するための散布装置と、前記排ガスを前記筐体の外部に排出するための排ガス排出口と、前記散布装置により散布された前記吸収液を滞留させるための滞留部であって、前記筐体の一部として構成される滞留部と、前記滞留部に滞留する前記吸収液を前記筐体の外部に排出するための吸収液排出口と、を備え、前記湿式排ガス脱硫装置は、前記散布装置により散布された前記吸収液と、硫黄酸化細菌に対して抗菌作用を有する抗菌金属を含む抗菌金属部材とを接触可能に構成されたことを特徴とする。
【００１０】
上記（１）の構成によれば、抗菌金属部材によって硫黄酸化細菌の増殖を抑制することができる。これにより、硫黄酸化細菌による有機物の産出量を抑制することができる。また、硫黄酸化細菌の増殖が抑制されることで、硫黄酸化細菌の産出物を利用して増殖する従属栄養細菌の増殖も抑制することができる。これにより、従属栄養細菌による有機物の産出量を抑制することができる。そして、これらのことから、湿式排ガス脱硫装置から排出される排水のＣＯＤの上昇を抑制でき、排水のためのＣＯＤの低下処理が不要な湿式排ガス脱硫装置を提供することができる。
【００１１】
（２）幾つかの実施形態では、上記（１）の構成において、前記散布装置は、前記吸収液排出口を通じて前記筐体の外部に排出された前記吸収液を、前記筐体の内部に散布するように構成されたことを特徴とする。
【００１２】
上記（２）の構成によれば、筐体の内部に散布され、硫黄酸化物を吸収し滞留部に滞留した吸収液を、再度、散布することができる。この結果、新たに使用する吸収液の使用量を削減することができる。また、吸収液が繰り返し使用されていても、上記のように硫黄酸化細菌等の増殖が抑制されるため、吸収液におけるＣＯＤは低いまま維持される。このため、排水のためのＣＯＤの低下処理が不要となる。
【００１３】
（３）幾つかの実施形態では、上記（１）又は（２）の構成において、前記抗菌金属部材は、前記滞留部に滞留した前記吸収液の少なくとも一部に浸かる位置に配置されたことを特徴とする。
【００１４】
上記（３）の構成によれば、硫黄酸化物を含む吸収液が滞留し、硫黄酸化細菌等が増殖し易い環境である滞留部において、硫黄酸化細菌等の増殖を抑制することができる。
【００１５】
（４）幾つかの実施形態では、上記（３）の構成において、前記抗菌金属部材は、塊状に形成された塊状抗菌金属部材を含むことを特徴とする。
【００１６】
上記（４）の構成によれば、塊状抗菌金属部材の取り扱い性に優れ、湿式排ガス脱硫装置に配置し易くすることができる。また、散布装置による吸収液の散布に伴う水圧の変化により、滞留部における塊状抗菌金属部材のある程度自由な移動を促すことができる。この結果、塊状抗菌金属部材による抗菌作用を滞留部の広範囲で発揮し易くすることができる。
【００１７】
（５）幾つかの実施形態では、上記（４）の構成において、前記湿式排ガス脱硫装置は、前記吸収液排出口を覆うように配置されたメッシュ部材をさらに備え、前記抗菌金属部材は、前記メッシュ部材のメッシュ径よりも大きくなるように構成されたことを特徴とする。
【００１８】
上記（５）の構成によれば、抗菌金属部材が、吸収液排出口を通じ吸収液とともに流出することを抑制することができる。これにより、抗菌金属部材が吸収液に浸かった状態を維持でき、抗菌金属部材による抗菌作用を長期的に維持することができる。
【００１９】
（６）幾つかの実施形態では、上記（２）の構成において、前記抗菌金属部材は、前記滞留部に滞留した前記吸収液の液面よりも上方であって、且つ、前記散布装置により散布された前記吸収液と接触可能な位置に配置されたことを特徴とする。
【００２０】
上記（６）の構成によれば、吸収液での抗菌金属の濃度を増加させ、硫黄酸化細菌等の増殖をより確実に抑制することができる。即ち、散布装置により散布された吸収液は、吸収液排出口を通じて滞留部から抜き出された吸収液であり、既に抗菌金属部材と接触されたものである。そのため、滞留部上方での接触、滞留、抜き出し及び散布を繰り返すことにより、吸収液での抗菌金属の濃度を増加させることができる。
また、抗菌金属部材が液面の上方に配置されていることから、例えば抗菌金属部材の表面に異物（例えば石膏等）が付着したような場合であっても、容易に抗菌金属部材を交換することができる。さらには、筐体の内部に抗菌金属部材を配置することができるため、湿式排ガス脱硫装置を小型化することができる。
【００２１】
（７）幾つかの実施形態では、上記（１）又は（２）の構成において、前記湿式排ガス脱硫装置は、前記吸収液排出口を通じて前記筐体の外部に排出された前記吸収液が流れる循環管路と、前記循環管路を流れた前記吸収液を前記滞留部に戻すための吸収液還流口と、を含む循環系統をさらに備え、前記抗菌金属部材は、前記循環系統を流れる前記吸収液と接触可能な位置に配置されたことを特徴とする。
【００２２】
上記（７）の構成によれば、筐体の内部に散布され、硫黄酸化物を吸収し滞留部に滞留した吸収液を、再度、硫黄酸化物の吸収のために使用することができる。この結果、新たに使用する吸収液の使用量を削減することができる。また、吸収液が繰り返し使用されていても、上記のように硫黄酸化細菌等の増殖が抑制されるため、吸収液におけるＣＯＤは低いまま維持される。このため、排水のためのＣＯＤの低下処理が不要となる。さらには、例えば抗菌金属部材の表面に異物（例えば石膏等）が付着したような場合であっても、筐体の外部において、容易に抗菌金属部材を交換することができる。
【００２３】
（８）幾つかの実施形態では、上記（７）の構成において、前記循環系統は、前記循環管路を流れた前記吸収液が流入するように構成された少なくとも１つの抗菌槽を備え、前記抗菌金属部材は、前記少なくとも１つの抗菌槽の内部に配置されることを特徴とする。
【００２４】
上記（８）によれば、抗菌金属部材を交換する際、抗菌槽全体を交換することにより抗菌金属部材に触れることなく抗菌金属部材を交換することができ、交換作業を容易に行うことができる。
【００２５】
（９）幾つかの実施形態では、上記（１）又は（２）の構成において、前記滞留部の内面の少なくとも一部は前記抗菌金属部材を含んで構成されたことを特徴とする。
【００２６】
上記（９）の構成によれば、抗菌金属部材の配置工程を別途追加する必要が無くなり、湿式排ガス脱硫装置の施工時に抗菌金属部材の配置を行うことができる。これにより、湿式排ガス脱硫装置の施工における工程数を維持したまま、硫黄酸化細菌等の増殖を抑制することができる。
【００２７】
（１０）幾つかの実施形態では、上記（１）又は（２）の構成において、前記湿式排ガス脱硫装置は、前記散布装置により散布された前記吸収液に前記抗菌金属のイオンを供給するための抗菌金属イオン供給装置をさらに備えたことを特徴とする。
【００２８】
上記（１０）の構成によれば、抗菌金属のイオンを吸収液に供給することができるため、吸収液中でのイオンの拡散速度を向上させることができる。これにより、抗菌作用を速やかに発揮させることができ、湿式排ガス脱硫装置の運転初期段階から抗菌作用を発揮させることができる。また、吸収液における抗菌金属のイオンの濃度調整を容易に行うことができる。
【００２９】
（１１）幾つかの実施形態では、上記（１）〜（１１）の何れか１の構成において、前記抗菌金属は、ニッケル及びタングステンのうちの少なくとも一方の金属を含有することを特徴とする。
【００３０】
上記（１１）の構成によれば、硫黄酸化細菌に対する抗菌作用を示しつつ、環境負荷も小さいため、抗菌金属部材を除去するための工程を別途設ける必要なく、河川等に排水することができる。
【００３１】
（１２）本発明の少なくとも幾つかの実施形態に係る湿式排ガス脱硫方法は、排ガスと吸収液とを接触させることにより、前記排ガス中の硫黄酸化物を前記吸収液に吸収させて前記排ガスから除去するための湿式排ガス脱硫方法であって、湿式排ガス脱硫装置を構成する筐体の内部に前記吸収液を散布するための散布装置によって散布された前記吸収液と、硫黄酸化細菌に対して抗菌作用を有する抗菌金属を含む抗菌金属部材とを接触させる工程を含むことを特徴とする。
【００３２】
上記（１２）の方法によれば、吸収液に抗菌金属を含有させることができ、抗菌金属部材によって硫黄酸化細菌の増殖を抑制することができる。これにより、硫黄酸化細菌による有機物の産出量を抑制することができる。また、硫黄酸化細菌の増殖が抑制されることで、硫黄酸化細菌の産出物を利用して増殖する従属栄養細菌の増殖も抑制することができる。これにより、従属栄養細菌による有機物の産出量を抑制することができる。そして、これらのことから、湿式排ガス脱硫装置から排出される排水のＣＯＤの上昇を抑制でき、排水のためのＣＯＤの低下処理が不要な湿式排ガス脱硫方法を提供することができる。
【発明の効果】
【００３３】
本発明によれば、排水のためのＣＯＤの低下処理が不要な湿式排ガス脱硫装置及び湿式排ガス脱硫方法を提供することができる。
【図面の簡単な説明】
【００３４】
【図１】本発明の一実施形態に係る湿式排ガス脱硫装置の模式図である。
【図２】本発明の二実施形態に係る湿式排ガス脱硫装置の模式図である。
【図３】本発明の三実施形態に係る湿式排ガス脱硫装置の模式図である。
【図４】本発明の四実施形態に係る湿式排ガス脱硫装置の模式図である。
【図５】本発明の五実施形態に係る湿式排ガス脱硫装置の模式図である。
【図６】本発明の六実施形態に係る湿式排ガス脱硫装置の模式図である。
【図７】本発明の七実施形態に係る湿式排ガス脱硫装置の模式図である。
【図８】本発明の八実施形態に係る湿式排ガス脱硫装置の模式図である。
【図９】本発明の九実施形態に係る湿式排ガス脱硫装置の模式図である。
【図１０】本発明の十実施形態に係る湿式排ガス脱硫装置の模式図である。
【図１１】本発明の十一実施形態に係る湿式排ガス脱硫装置の模式図である。
【発明を実施するための形態】
【００３５】
以下、添付図面を参照して本発明の幾つかの実施形態について説明する。ただし、以下に実施形態として記載されている内容又は図面に記載されている内容は、あくまでも例示に過ぎず、本発明の要旨を逸脱しない範囲内で、任意に変更して実施することができる。また、各実施形態は、２つ以上を任意に組み合わせて実施することができる。
【００３６】
また、実施形態として記載されている又は図面に示されている構成部品の寸法、材質、形状、その相対的配置等は、本発明の範囲をこれに限定する趣旨ではなく、単なる説明例にすぎない。また、図示の簡略化のために、適宜、相対的な寸法比を変更して図示することがある。
【００３７】
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
【００３８】
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
【００３９】
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
【００４０】
一方、一の構成要素を「備える」、「具える」、「具備する」、「含む」、又は、「有する」という表現は、他の構成要素の存在を除外する排他的な表現ではない。
【００４１】
図１は、本発明の一実施形態に係る湿式排ガス脱硫装置１０１の模式図である。以下、「湿式排ガス脱硫装置」のことを、説明の簡略化のために単に「脱硫装置」という。図１に示す脱硫装置１０１は、火力発電所等において生じた排ガスと吸収液とを接触させることにより、排ガス中の硫黄酸化物（二酸化硫黄等）を吸収液に吸収させて排ガスから除去するためのものである。
【００４２】
使用される吸収液は、硫黄酸化物を吸収可能なものであれば任意であり、例えば、石灰石を溶解（分散）させたスラリー（石灰石膏法）、水酸化ナトリウム水溶液（苛性ソーダ法）、水酸化マグネシウムを溶解（分散）させたスラリー（マグネシウム法）を適用することができる。本明細書では、一例として、石灰石を溶解させた（分散させた）スラリーが使用される。なお、スラリーは、厳密には液体ではないが、本明細書では便宜的に液体として扱うものとする。
【００４３】
脱硫装置１０１は、筐体１０と、排ガスを筐体１０の内部に導入するための排ガス導入口１１ａと、排ガスを筐体１０の外部に排出するための排ガス排出口１１ｂと、散布装置２６（後記する）により散布された吸収液を滞留させるための滞留部であって、筐体１０の一部として構成される滞留部１３とを備える。滞留部１３には、吸収液が滞留している。滞留した吸収液には、通常は、排ガス中の硫黄酸化物を吸収して生成した亜硫酸イオンのほか、亜硫酸イオンの酸化により生成した硫酸イオンが含まれる。筐体１０の内部への吸収液の補給は、図示しない吸収液タンクに接続された吸収液補給系統７１を通じ、ポンプ２１により行われる。
【００４４】
また、脱硫装置１０１は、吸収液を筐体１０の内部に散布するための散布装置２６と、滞留部１３の吸収液を筐体１０の外部に排出するための吸収液排出口１４とを備える。散布装置２６により吸収液が散布され、散布された吸収液と排ガスとが筐体１０の内部空間１５において接触することで、排ガス中の硫黄酸化物を吸収液に吸収させることができる。これにより、排ガス中の硫黄酸化物が除去され、浄化済みの排ガスである浄化ガスとして、脱硫装置１０１の外部に排気される。
【００４５】
また、吸収液では、硫黄酸化物（二酸化硫黄）の吸収により、上記のように亜硫酸イオンが生成する。そして、亜硫酸イオンは、散気管２２（後記する）による散気により酸化され、硫酸イオンが生成する。生成した硫酸イオンは、吸収液中の炭酸カルシウムと反応し、硫酸カルシウム（石膏）及び二酸化炭素が生成する。生成した二酸化炭素は、浄化ガスとともに、脱硫装置１０１の外部に排気される。また、生成した硫酸カルシウムは、後記する固液分離器４３により分離回収される。
【００４６】
筐体１０の内部に導入される排ガスは通常は高温であり、吸収液に含まれる水が蒸発する。そこで、蒸発して減少した水分を補うために、適宜、補給水ノズル５１を通じた補給水の供給が行われる。補給水ノズル５１は、図示しない補給水タンクに対して補給水供給系統７７により接続されている。そして、補給水供給系統７７に設けられたポンプ２４の駆動により、補給水ノズル５１を介した補給水の供給が行われる。
【００４７】
また、脱硫装置１０１は、滞留した吸収液に対し、酸化用空気を散気するための散気管２２を備える。散気管２２は、空気供給系統７２を介して大気中に開放されている。そして、空気供給系統７２に設けられたポンプ２３を通じ、大気中の空気（酸化用空気）が散気管２２に供給され、吸収液に散気される。これにより、吸収液中の亜硫酸イオンを酸化させることができ、硫酸イオンを生成させることができる。
【００４８】
脱硫装置１０１では、散布装置２６は、吸収液排出口１４を通じて筐体１０の外部に排出された吸収液を、筐体１０の内部に散布するように構成されている。即ち、脱硫装置１０１では、吸収液は繰り返し使用されている。具体的には、脱硫装置１０１は、循環系統７３と、循環系統７３を通じて滞留部１３から吸収液を抜き出すためのポンプ４１とを備える。これらのうち、循環系統７３は、吸収液排出口１４を通じて筐体１０の外部に排出された吸収液が流れる循環管路７３ａと、循環管路７３ａを流れた吸収液を筐体１０の内部（具体的には滞留部１３）に戻すための吸収液還流口７３ｂとを備えて構成される。そして、ポンプ４１の駆動により、吸収液が滞留部１３と散布装置２６との間で循環している。
【００４９】
また、脱硫装置１０１では、別の経路においても、吸収液の循環が行われている。即ち、循環系統７３には、三方弁４２が設けられ、循環系統７３を流れる吸収液の一部は、抜き出し系統７４を通じて、固液分離器４３に供給される。固液分離器４３は、例えばベルトフィルタ（ベルトプレス）である。固液分離器４３に供給された吸収液には、上記のようにして生成した硫酸カルシウム（石膏）が含まれる。そのため、固液分離器４３において、硫酸カルシウムが分離され、これにより、排ガス流の硫黄酸化物に由来する硫黄分が固形分として除去される。
【００５０】
一方で、固液分離器４３において硫酸カルシウムを分離した後の吸収液は、排水系統７５及び三方弁４４を通じ、外部に排水される。ただし、排水系統７５を流れる吸収液の一部は、液バランスの観点から、三方弁４４及び戻し系統７６を通じ、筐体１０の内部に戻される。
【００５１】
これらのように、吸収液還流口７３ｂ，７３ｂを経由して吸収液が循環していることで、筐体１０の内部に散布され、硫黄酸化物を吸収し滞留部１３に滞留した吸収液を、再度、硫黄酸化物の吸収のために使用することができる。この結果、新たに使用する吸収液の使用量を削減することができる。また、吸収液が繰り返し使用されていても、上記のように硫黄酸化細菌等の増殖が抑制されるため、吸収液におけるＣＯＤは低いまま維持される。このため、排水のためのＣＯＤの低下処理が不要となる。
【００５２】
脱硫装置１０１では、散布装置２６により散布された吸収液と、硫黄酸化細菌に対して抗菌作用を有する抗菌金属を含む抗菌金属部材とを接触可能に構成されている。具体的には、散布装置２６により散布された吸収液は、重力により落下し、滞留部１３に滞留する。そして、散布装置２６により散布された吸収液、即ち、滞留部１３に滞留した吸収液には、硫黄酸化細菌に対して抗菌作用を有する抗菌金属部材により構成された塊状抗菌金属部材６１（塊状の抗菌金属部材）が沈んでいる。この結果、塊状抗菌金属部材６１は、滞留部１３に滞留した吸収液に浸かる位置に配置される。
【００５３】
上記のように、本発明者らが検討したところ、筐体１０の内部（特には吸収液の内部）において硫黄酸化細菌等が増殖し易いことがわかった。そして、この結果、排水のＣＯＤが上昇することがわかった。そこで、塊状抗菌金属部材６１が吸収液に浸かることで、硫黄酸化物を含む吸収液が滞留し、硫黄酸化細菌等が増殖し易い環境である滞留部１３において、硫黄酸化細菌等の増殖を抑制することができる。この結果、排水のＣＯＤの上昇を抑制することができる。
【００５４】
なお、塊状抗菌金属部材６１は、滞留部１３に滞留した吸収液に完全に浸かる必要はなく、塊状抗菌金属部材６１の一部が吸収液に浸かっていればよい。
【００５５】
また、抗菌金属部材として塊状抗菌金属部材６１を備えることで、塊状抗菌金属部材６１の取り扱い性に優れ、脱硫装置１０１に配置し易くすることができる。また、散布装置２６による吸収液の散布、及び、散気管２２による散気に伴う水圧の変化により、滞留部１３における塊状抗菌金属部材６１のある程度自由な移動を促すことができる。この結果、塊状抗菌金属部材６１による抗菌作用を滞留部１３の広範囲で発揮し易くすることができる。
【００５６】
塊状抗菌金属部材６１の物性としては、所謂「塊状」であれば具体的な物性は特に制限されない。ここで、「塊状」とは、塊になった状態をいい、例えば、略球状、略立方体状、略直方体状、略錘状、略柱状等の形状に形成された塊が挙げられる。塊状抗菌金属部材６１の大きさは特に制限されないが、最も長い部分の長さ（粒径）として、例えば、通常は４０μｍ以上、好ましくは１００μｍ以上、より好ましくは４００μｍ以上、その上限としては、通常は３０ｃｍ以下、好ましくは２０ｃｍ以下、より好ましくは１０ｃｍ以下とすることができる。
【００５７】
また、塊状抗菌金属部材６１の通り抜けを抑制する観点から、上記のフィルタ６２のメッシュ径（目開き）は、塊状抗菌金属部材６１の大きさ（粒径）よりも小さいことが好ましい。そのため、フィルタ６２のメッシュ径は、塊状抗菌金属部材６１の大きさに基づいて決定すればよいが、具体的には例えば、通常は４０μｍ以上、好ましくは１００μｍ以上、より好ましくは４００μｍ以上、その上限としては、通常は２５ｃｍ以下、好ましくは２０ｃｍ以下、より好ましくは１５ｃｍ以下とすることができる。
【００５８】
なお、塊状抗菌金属部材６１を例えば数十μｍ〜数ｃｍ程度の粒径にした場合、塊状抗菌金属部材６１は、マクロ的には粒状ともいえる。しかし、例えば顕微鏡により観察した場合には、塊状抗菌金属部材６１はある程度の塊の状態を有している。即ち、ミクロ的には、抗菌金属の粒子（金属粒子）が複数凝集し、塊が形成されている。そのため、マクロ的には粒状の抗菌金属部材であっても、「塊状抗菌金属部材」というものとする。
【００５９】
また、塊状抗菌金属部材６１の表面積を大きくし、抗菌作用を高める観点から、表面は粗いことが好ましい。そこで、塊状抗菌金属部材６１は、表面積を大きくできるような製造方法により製造されることが好ましい。具体的には例えば、抗菌金属を含む部材を調製後、調製された部材を粗く粉砕することで、得ることができる。より具体的には、例えば抗菌金属が酸化ニッケルである場合には、例えば、ニッケル（単体）を容器に入れて焼成することで酸化ニッケルとした後、容器から取り出した酸化ニッケルを粉砕することで、塊状抗菌金属部材６１を得ることができる。ただし、粉砕せずに、容器から取り出した酸化ニッケルをそのまま使用することもできる。
【００６０】
塊状抗菌金属部材６１に含まれる抗菌金属の具体的な種類としては、ニッケル、タングステン、銀、銅等が挙げられる。抗菌金属は１種でもよく、２種以上の組み合わせでもよい。抗菌金属は、単体であってもよく、酸化物、硫化物、錯体等の化合物であってもよい。塊状抗菌金属部材６１が化合物である場合には、２以上の種類の抗菌金属を含む化合物でもよく、１以上の種類の抗菌金属と、抗菌金属以外の金属とを含む化合物であってもよい。
【００６１】
塊状抗菌金属部材６１は、ニッケル及びタングステンのうちの少なくとも一方の金属を含有することが好ましい。ニッケル及びタングステンのうちの少なくとも一方の金属を含有することにより、硫黄酸化細菌に対する抗菌作用を示しつつ、環境負荷も小さいため、塊状抗菌金属部材６１を除去するための工程を別途設ける必要なく、河川等に排水することができる。
【００６２】
なお、塊状抗菌金属部材６１が吸収液に接触すると、通常は、塊状抗菌金属部材６１に含まれる抗菌金属がイオン（錯イオンでもよい）の形態となって吸収液に溶出する。これにより、吸収液において抗菌作用が奏される。また、塊状抗菌金属部材６１の形態が物理的に崩壊することで、抗菌金属の単体又は化合物（双方でもよい）が吸収液に分散し、これにより、吸収液において抗菌作用が奏されることもある。そこで、本明細書では、「吸収液に抗菌金属が含まれる」という場合には、特に断らない限り、抗菌金属のイオン、単体、又は化合物（これらのうちの２つ以上でもよい）が吸収液に含まれることを表すものとする。
【００６３】
また、本明細書において、「散布装置２６により散布された吸収液と、硫黄酸化細菌に対して抗菌作用を有する抗菌金属を含む塊状抗菌金属部材６１とが接触可能になっている」とは、例えば図１に示すように、散布装置２６により散布された吸収液であって、滞留部１３に滞留した吸収液に接触するような間接的な接触のほか、後記する例えば図４に示すような、散布装置２６により散布され、滞留部１３に到達する前の吸収液に接触するような直接的な接触を含むものとする。
【００６４】
滞留部１３と循環系統７３との接続部である吸収液排出口１４には、吸収液排出口１４を覆うように配置されたフィルタ６２が備えられている。フィルタ６２は、金属メッシュにより構成されている。そして、塊状抗菌金属部材６１は、フィルタ６２のメッシュ径よりも大きくなるように構成されている。
【００６５】
塊状抗菌金属部材６１がフィルタ６２のメッシュ径よりも大きいことで、塊状抗菌金属部材６１が、吸収液排出口１４を通じ吸収液とともに流出することを抑制することができる。これにより、塊状抗菌金属部材６１が吸収液に浸かった状態を維持でき、塊状抗菌金属部材６１による抗菌作用を長期的に維持することができる。
【００６６】
以上のような脱硫装置１０１によれば、塊状抗菌金属部材６１によって硫黄酸化細菌の増殖を抑制することができる。これにより、硫黄酸化細菌による有機物の産出量を抑制することができる。また、硫黄酸化細菌の増殖が抑制されることで、硫黄酸化細菌の産出物を利用して増殖する従属栄養細菌の増殖も抑制することができる。これにより、従属栄養細菌による有機物の産出量を抑制することができる。そして、これらのことから、湿式排ガス脱硫装置から排出される排水のＣＯＤの上昇を抑制でき、排水のためのＣＯＤの低下処理が不要な脱硫装置１０１を提供することができる。
【００６７】
次に、脱硫装置１０１における湿式排ガス脱硫方法を説明する。以下の説明では、説明の簡略化のために、「湿式排ガス脱硫方法」を単に「脱硫方法」という。本発明の一実施形態に係る脱硫方法は、排ガスと吸収液とを接触させることにより、火力発電所等で発生した排ガス中の硫黄酸化物を吸収液に吸収させて排ガスから除去するための方法である。
【００６８】
本発明の一実施形態に係る脱硫方法は、上記の脱硫装置１０１を構成する筐体１０の内部に吸収液を散布するための散布装置２６によって散布された吸収液と、硫黄酸化細菌に対して抗菌作用を有する塊状抗菌金属部材６１とを接触させる工程を含むものである。
【００６９】
この工程を経ることにより、吸収液に抗菌金属を含有させることができ、塊状抗菌金属部材６１によって硫黄酸化細菌の増殖を抑制することができる。これにより、硫黄酸化細菌による有機物の産出量を抑制することができる。また、硫黄酸化細菌の増殖が抑制されることで、硫黄酸化細菌の産出物を利用して増殖する従属栄養細菌の増殖も抑制することができる。これにより、従属栄養細菌による有機物の産出量を抑制することができる。そして、これらのことから、湿式排ガス脱硫装置から排出される排水のＣＯＤの上昇を抑制でき、排水のためのＣＯＤの低下処理が不要な脱硫方法を提供することができる。
【００７０】
なお、上記の例では抗菌金属部材として塊状抗菌金属部材６１を例示したが、抗菌金属部材は、塊状以外の任意の形状（例えば、板状）とすることができる。
【００７１】
図２は、本発明の二実施形態に係る湿式排ガス脱硫装置１０２の模式図である。以下、脱硫装置１０２について、上記の脱硫装置１０１と共通する点の説明は省略し、異なる点を中心に説明する。
【００７２】
上記の脱硫装置１０１では、塊状抗菌金属部材６１が備えられていたが、図２に示す脱硫装置１０２では、塊状抗菌金属部材６１は備えられていない。ただし、脱硫装置１０２では、上記抗菌金属を表面に担持した波板６３と吸収液とを接触させることで、吸収液での硫黄酸化細菌の増殖の抑制を図っている。従って、脱硫装置１０２では、上記抗菌金属を表面に担持した波板６３が抗菌金属部材に相当する。
【００７３】
脱硫装置１０２では、波板６３を収容した抗菌槽６４，６４が２つ備えられる。２つの抗菌槽６４，６４は、循環系統７３において並列に設けられる。従って、循環系統７３は、上記の循環管路７３ａを流れた吸収液が流入するように構成された２つの（少なくとも１つでよい）の抗菌槽６４，６４を備えている。そして、これらの抗菌槽６４，６４の内部には、上記抗菌金属を担持した波板６３が配置され、波板６３（抗菌金属部材）は、循環系統７３を流れる吸収液と接触可能に配置されている。
【００７４】
波板６３を収容した抗菌槽６４，６４が備えられることで、抗菌槽６４，６４全体を交換することにより波板６３に触れることなく波板６３を新たなものに交換することができ、交換作業を容易に行うことができる。
【００７５】
また、三方弁６５，６５によって、吸収液を流す抗菌槽６４が切替可能になっている。また、２つの抗菌槽６４，６４は取り外し可能になっている。これらにより、一方の抗菌槽６４に吸収液を流す間に他方の抗菌槽６４を取り外して、取り外した抗菌槽６４のメンテナンスを容易に行うことができる。
【００７６】
図３は、本発明の三実施形態に係る湿式排ガス脱硫装置１０３の模式図である。上記の図２に示す脱硫装置１０２では、２つの抗菌槽６４，６４は、循環系統７３に備えられていた。しかし、図３に示す脱硫装置１０３では、２つの抗菌槽６４，６４は、循環系統７３とは独立した抗菌槽系統７９に備えられている。
【００７７】
抗菌槽系統７９は、滞留部１３の吸収液を抜き出して２つの抗菌槽６４，６４に供給するとともに、吸収液を波板６３，６３に接触させた後に、滞留部１３に戻すためのものである。従って、吸収液は、滞留部１３と抗菌槽６４，６４との間で循環しており、抗菌槽系統７９は循環系統７３としても機能している。抗菌槽系統７９は、上記の循環系統７３と同様、吸収液排出口１４と吸収液還流口７３ｂとを備える。さらに、抗菌槽系統７９にはポンプ７８が備えられ、ポンプ７８の駆動により、吸収液が抗菌槽系統７９を流れる。
【００７８】
吸収液排出口１４から筐体１０の外部に排水された吸収液は、抗菌槽系統７９を流れ、抗菌槽６４，６４に供給される。そして、抗菌槽６４，６４において吸収液と波板６３，６３とが接触した後、吸収液は、抗菌槽系統７９を流れ、吸収液還流口７３ｂから滞留部１３に戻される。従って、抗菌槽６４，６４に収容された波板６３，６３（抗菌金属部材）は、抗菌槽系統７９を流れる吸収液と接触可能な位置に配置される。
【００７９】
２つの抗菌槽６４，６４をこのように配置することで、既存の脱硫装置に対して後付けで抗菌槽６４，６４を取り付け易くすることができる。このため、既存の脱硫装置においても、メンテナンスを容易に行いつつ、硫黄酸化細菌等の増殖を抑制することができる。
【００８０】
図４は、本発明の四実施形態に係る湿式排ガス脱硫装置１０４の模式図である。この図４に示す脱硫装置１０４では、上記の脱硫装置１０１とは異なり、塊状抗菌金属部材６１は滞留部１３の吸収液に浸っていない。その代わりに、脱硫装置１０４では、塊状抗菌金属部材６１は、滞留部１３に滞留した吸収液の液面よりも上方であって、且つ、散布装置２６により散布された吸収液と接触可能な位置に配置されている。
【００８１】
具体的には、脱硫装置１０４では、上方に向けて散布する散布装置２６の上方であって、かつ、散布される吸収液の届く位置に、メッシュにより形成される棚８１が設置されている。そして、棚８１の上面には、塊状抗菌金属部材６１が裁置されている。なお、棚８１は、図示しない固定部材により、筐体１０の内部に支持固定されている。なお、棚８１は例えば金属製である。
【００８２】
散布装置２６から上方に向けて散布された吸収液は、棚８１の底面（上記のようにメッシュにより形成される）を通り、塊状抗菌金属部材６１の下方から塊状抗菌金属部材６１に接触する。この接触により、抗菌金属が吸収液に含有される。そして、抗菌金属を含有することとなった吸収液は、重力により落下し、滞留部１３に滞留する。このため、滞留部１３に滞留している吸収液には、抗菌金属が含有されることになる。
【００８３】
このように、塊状抗菌金属部材６１が上記の位置に配置されることで、吸収液での抗菌金属の濃度を増加させ、硫黄酸化細菌等の増殖をより確実に抑制することができる。即ち、散布装置２６により散布された吸収液は、吸収液排出口１４を通じて滞留部１３から抜き出された吸収液であり、既に抗菌金属部材と接触されたものである。そのため、滞留部１３上方での接触、滞留、抜き出し及び散布を繰り返すことにより、吸収液での抗菌金属の濃度を増加させることができる。
【００８４】
また、塊状抗菌金属部材６１が液面の上方に配置されていることから、例えば塊状抗菌金属部材６１の表面に異物（例えば石膏等）が付着したような場合であっても、容易に塊状抗菌金属部材６１を交換することができる。さらには、筐体１０の内部に塊状抗菌金属部材６１を配置することができるため、脱硫装置１０４を小型化することができる。
【００８５】
さらには、棚８１は剛性を有するため、連続的に散布装置２６から吸収液が散布されても、変形しにくい。そのため、棚８１の耐久性を高めることができる。
【００８６】
図５は、本発明の五実施形態に係る湿式排ガス脱硫装置１０５の模式図である。上記の図４に示す脱硫装置１０４では、塊状抗菌金属部材６１は、滞留部１３に滞留した吸収液の液面よりも上方であって、且つ、上方に向けて散布する散布装置２６のさらに上方に配置されていた。しかし、図５に示す脱硫装置１０５では、滞留部１３に滞留した吸収液の液面よりも上方であるが、上方に向けて散布する散布装置２６の下方に配置されている。即ち、塊状抗菌金属部材６１は、滞留部１３に滞留した吸収液の液面と、上方に向けて散布する散布装置２６との間に配置される。
【００８７】
散布装置２６によって上方に向けて散布された吸収液は、ある程度の高さまで到達すると重力により落下する。そのため、落下中の吸収液は、散布装置２６の下方に配置された塊状抗菌金属部材６１に対し、上方から接触する。この接触により、抗菌金属が吸収液に含有される。そして、抗菌金属を含有することとなった吸収液は、重力によりさらに落下し、滞留部１３に滞留する。このため、滞留部１３に滞留している吸収液には、抗菌金属が含有されることになる。
【００８８】
このように、塊状抗菌金属部材６１が上記の位置に配置されることで、吸収液での抗菌金属の濃度を増加させ、硫黄酸化細菌等の増殖をより確実に抑制することができる。即ち、散布装置２６により散布された吸収液は、吸収液排出口１４を通じて滞留部１３から抜き出された吸収液であり、既に抗菌金属部材と接触されたものである。そのため、滞留部１３上方での接触、滞留、抜き出し及び散布を繰り返すことにより、吸収液での抗菌金属の濃度を増加させることができる。
【００８９】
図６は、本発明の六実施形態に係る湿式排ガス脱硫装置１０６の模式図である。上記の図４に示した脱硫装置１０４では、散布装置２６の上方にメッシュ状の棚８１が配置され、その上に塊状抗菌金属部材６１が載置されていた。しかし、この図６に示す脱硫装置１０６では、散布装置２６の上方にメッシュ状のネット８２が懸架されており、ネット８２の上に塊状抗菌金属部材６１が載置されている。ネット８２は例えば金属製である。また、ネット８２は、例えば、筐体１０の内壁の任意の例えば３か所以上において留められる（引っ掛ける）ことで、筐体１０の内部に懸架することができる。
【００９０】
散布装置２６から上方に向けて散布された吸収液は、メッシュ状のネット８２を通り、塊状抗菌金属部材６１の下方から塊状抗菌金属部材６１に接触する。この接触により、抗菌金属が吸収液に含有される。そして、上記の図４に示した脱硫装置１０４と同様にして、滞留部１３に滞留している吸収液には、抗菌金属が含有される。
【００９１】
塊状抗菌金属部材６１がネット８２の上に載置されることによっても、上記の図４に示す脱硫装置１０４と同様に、吸収液での抗菌金属の濃度を増加させることができる。特に、ネット８２は軽量であり、筐体１０の内壁に留めることで、容易に配置することができる。そのため、ネット８２を使用することで、塊状抗菌金属部材６１を容易に配置することができる。
【００９２】
また、ネット８２は可撓性を有するため、散布装置２６からの吸収液の上方への散布により、ネット８２は変形し得る。また、排ガスの風圧によってもネット８２は変形し得る。そのため、ネット８２と、その上に載置される塊状抗菌金属部材６１とは、筐体１０の内部で上下動する。これにより、ネット８２及び塊状抗菌金属部材６１に吸収液に含まれる固形分（炭酸カルシウム、石膏等）が付着したとしても、ネット８２及び塊状抗菌金属部材６１が適度に上下動することで、固形分が固着しにくい。この結果、ネット８２を構成するメッシュが目詰まりすることが抑制され、吸収液が塊状抗菌金属部材６１に長期的に接触し易くすることができる。また、塊状抗菌金属部材６１の表面が固形分によって覆われにくく、塊状抗菌金属部材６１の表面に吸収液が接触し易くなるため、抗菌作用を持続させることができる。
【００９３】
図７は、本発明の七実施形態に係る湿式排ガス脱硫装置１０７の模式図である。上記の図１に示した脱硫装置１０１では、塊状抗菌金属部材６１は、吸収液の内部において、ある程度自由に移動することができた。しかし、この図７に示す脱硫装置１０７では、塊状抗菌金属部材６１はメッシュ状のケース８３に収容されており、塊状抗菌金属部材６１を収容したケース８３が吸収液に沈められている。なお、このケース８３は例えば金属製である。
【００９４】
塊状抗菌金属部材６１を収容するケース８３はメッシュ状であるため、ケース８３の内外を吸収液は自由に流れる。このため、吸収液は、ケース８３の内部に塊状抗菌金属部材６１に接触することができる。これにより、吸収液における硫黄酸化細菌等の増殖を抑制することができる。また、塊状抗菌金属部材６１はケース８３から抜け出ることがないため、塊状抗菌金属部材６１が吸収液排出口１４を通じて流れ出すことが無い。これにより、上記の図１において説明したフィルタ６２を配置せずに、筐体１０の内部に塊状抗菌金属部材６１を入れることができる。このため、既存の脱硫装置１０７に対し、後付けで、塊状抗菌金属部材６１を適用することができ、硫黄酸化細菌等の増殖を容易に抑制することができる。
【００９５】
図８は、本発明の八実施形態に係る湿式排ガス脱硫装置１０８の模式図である。上記の図１〜図７に示す脱硫装置１０１〜１０７では、吸収液における硫黄酸化細菌等の増殖を抑制するために、塊状抗菌金属部材６１が使用されていた。しかし、この図８に示す脱硫装置１０８では、塊状抗菌金属部材６１に代えて、上記抗菌金属を含んで構成される金属メッシュ６６（他の構造物でもよい）が使用されている。なお、この金属メッシュ６６は、構成材料自体が抗菌金属であってもよいし、抗菌金属以外の金属で構成された金属メッシュの表面に、抗菌金属のメッキ、抗菌金属を含む塗料の塗布等が施されたものでもよい。
【００９６】
金属メッシュ６６，６６は、滞留部１３の吸収液に浸かっている。従って、金属メッシュ６６，６６は、吸収液に接触しているから、金属メッシュ６６，６６は抗菌金属部材に相当する。そして、金属メッシュ６６，６６は、吸収液の内部で筐体１０に支持固定される。金属メッシュ６６，６６は、脱硫装置１０８において２枚の配置される。金属メッシュ６６，６６は上記のようにメッシュ状を有してるため、金属メッシュ６６，６６から溶出した抗菌金属は、吸収液において全体に行き渡るようになっている。
【００９７】
抗菌金属を含む金属メッシュ６６が吸収液に含まれていることで、金属メッシュ６６と接触する吸収液における硫黄酸化細菌等の増殖を抑制することができる。特に、筐体１０に収容される構造物を抗菌金属を用いて形成すればよいため、特別な部材を使用せずに、硫黄酸化細菌等の増殖を抑制することができる。
【００９８】
図９は、本発明の九実施形態に係る湿式排ガス脱硫装置１０９の模式図である。上記の脱硫装置１０１〜１０８では、いずれも、抗菌金属部材が筐体１０とは別体として備えられていた。しかし、この図９に示す脱硫装置１０９では、筐体１０の一部を構成する滞留部１３の内面が、抗菌金属材料としての抗菌膜６７を含んで構成されている。なお、抗菌膜６７は、滞留部１３の内面の全部ではなく、一部でもよい。
【００９９】
脱装装置１０９では、滞留部１３の内面に、上記の抗菌金属を含む抗菌膜６７が形成される。そして、抗菌膜６７は、散布装置２６により散布されて滞留した吸収液と接触することから、抗菌膜６７は抗菌金属部材に対応する。抗菌膜６７は、例えば、滞留部１３の内面に抗菌金属をメッキしたり、滞留部１３の内面に抗菌金属を含む塗料を塗布及び乾燥したりすることで、形成することができる。
【０１００】
抗菌膜６７が滞留部１３の内面に形成されることで、抗菌金属部材の配置工程を別途追加する必要が無くなり、脱硫装置１０９の施工時に抗菌金属部材の配置を行うことができる。これにより、脱硫装置１０９の施工における工程数を維持したまま、硫黄酸化細菌等の増殖を抑制することができる。
【０１０１】
図１０は、本発明の十実施形態に係る湿式排ガス脱硫装置１１０の模式図である。上記の脱硫装置１０１〜１０９では、いずれも、固体状の抗菌金属部材が使用されていた。そして、固体状の抗菌金属部材と吸収液とが接触することで、吸収液において抗菌作用が奏されていた。しかし、図１０に示す脱硫装置１１０では、液体状の抗菌金属部材として抗菌金属のイオン（抗菌金属イオン）を直接吸収液に注入することで、吸収液での抗菌作用が奏されるようになっている。
【０１０２】
脱硫装置１１０は、散布装置２６により散布された吸収液に、抗菌金属イオンを含む抗菌金属イオン含有水溶液を供給するためのポンプ９１（抗菌金属イオン供給装置）を備える。ポンプ９１は、図示しない抗菌金属イオン含有水溶液タンクに接続された抗菌金属イオン供給系統９０に備えられる。なお、ポンプ９１はインバータ制御されるものであり、インバータ（図示しない）の回転速度を変更することで、抗菌金属イオンの注入量を変更することができる。
【０１０３】
また、脱硫装置１１０には、抗菌金属イオン濃度を測定するためのイオン濃度センサ９２と、イオン濃度センサ９２に吸収液を供給するためのポンプ９３とが備えられる。イオン濃度センサ９２としては、例えば、吸光光度法による濃度計を採用することができるが、これに限られるものではない。そして、脱硫装置１１０には、ポンプ９１による抗菌金属イオン含有水溶液の注入量を調整するための演算制御装置９４が備えられる。なお、演算制御装置９４は、いずれも図示しないが、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、制御回路等を備え、ＲＯＭに格納されている所定の制御プログラムがＣＰＵによって実行されることにより具現化される。
【０１０４】
脱硫装置１１０では、吸収液における抗菌金属イオンの濃度が予め定められた設定値（範囲でもよい。以下同じ）になるように、抗菌金属イオンの注入が行われる。即ち、上記の三方弁４４からの排水により、吸収液における抗菌金属イオンの量が減少する。そこで、この減少分を補うように、ポンプ９１による抗菌金属イオン水溶液の注入が行われる。
【０１０５】
具体的には、脱硫装置１１０の運転中、イオン濃度センサ９２を用いて、吸収液における抗菌金属イオンの濃度が測定される。この測定値は、図１０において破線で電気信号線を通じて、演算制御装置９４に入力される。そして、演算制御装置９４は、測定されたイオン濃度が予め定められた設定値になるように、ポンプ９１の回転速度を制御し、注入量を制御する。これにより、吸収液における抗菌金属イオンの濃度が設定値（近傍でもよい）に維持され、吸収液における硫黄酸化細菌等の増殖が抑制される。
【０１０６】
このように、ポンプ９１が備えられることで、抗菌金属イオンを吸収液に供給することができるため、吸収液中でのイオンの拡散速度を向上させることができる。これにより、抗菌作用を速やかに発揮させることができ、脱硫装置１１０の運転初期段階から抗菌作用を発揮させることができる。また、吸収液における抗菌金属イオンの濃度調整を容易に行うことができる。
【０１０７】
図１１は、本発明の十一実施形態に係る湿式排ガス脱硫装置１１１の模式図である。なお、図示はしないが、図１１に示す脱硫装置１１１においても、例えば上記の図１〜図１０に示す形態と同様にして、吸収液と抗菌金属部材との接触が行われている。上記の脱硫装置１０１〜１１０では、いずれも、吸収液は散布装置２６から上方に向けて散布されていた。しかし、図１１に示す脱硫装置１１１では、吸収液は、散布装置２６から下方に向けて散布されている。
【０１０８】
散布装置２６から下方に吸収液を散布するようにしても、吸収液と排ガスとを接触させて、排ガス中の硫黄酸化物を吸収液に吸収させることができる。そして、吸収液には上記のように抗菌金属が含まれていることから、吸収液において、硫黄酸化物の増殖を抑制することができる。
【符号の説明】
【０１０９】
１１ａ  排ガス導入口
１１ｂ  排ガス排出口
１２  滞留液
１３  滞留部
１４  吸収液排出口
１５  内部空間
２２  散気管
２３，２４，４１，７８，９１，９３  ポンプ
２６  散布装置
４２，４４，６５  三方弁
４３  固液分離器
５１  補給水ノズル
６１  塊状抗菌金属部材
６２  フィルタ
６３  波板
６４  抗菌槽
６６  金属メッシュ
６７  抗菌膜
７１  吸収液補給系統
７２  空気供給系統
７３  循環系統
７３ａ  循環管路
７３ｂ  吸収液還流口
７４  抜出し系統
７５  排水系統
７６  戻し系統
７７  補給水供給系統
７９  抗菌槽系統
８１  棚
８２  ネット
８３  ケース
９０  抗菌金属イオン供給系統
９１  ポンプ（抗菌金属イオン供給装置）
９２  イオン濃度センサ
９４  演算制御装置
１０１，１０２，１０３，１０４，１０５，１０６，１０７，１０８，１０９，１１０，１１１  脱硫装置（湿式排ガス脱硫装置）
【図１】
2019126764.tif 000003
【図２】
2019126764.tif 000004
【図３】
2019126764.tif 000005
【図４】
2019126764.tif 000006
【図５】
2019126764.tif 000007
【図６】
2019126764.tif 000008
【図７】
2019126764.tif 000009
【図８】
2019126764.tif 000010
【図９】
2019126764.tif 000011
【図１０】
2019126764.tif 000012
【図１１】
2019126764.tif 000013